(57)【要約】【課題】管理対象者に羞恥心を抱かせず管理者の手間も軽くしながら管理対象者の大便行為の有無を正確性高く管理把握していくことができ、しかも、それを簡易なシステム構成で実現できる大便行為の有無管理システムを提供する。【解決手段】大便器１内への液体の落下は検知せず固体の落下を検知する第１センサー３と、ペーパーホルダー２からの紙５の取出しが行われたことを検知する第２センサー４と、これらセンサーからの検知信号を受け、第１センサー３が固体の落下を検知した後、第２センサー４が紙５の取出しを検知し、しかる後、第１センサー３が固体の落下を検知したとき、大便行為が行われたと判断する処理手段７と、該処理手段からの大便行為が行われたとの判断信号を受け、それをデータとして蓄積する記憶手段８とが備えられている。【選択図】　　　図１
2004033320.tif 000002
【特許請求の範囲】
【請求項１】
大便器内へ液体が落下したことは検知せず固体が落下したことを検知する第１センサーと、
ペーパーホルダーからのペーパー取出しが行われたことを検知する第２センサーと、
これらセンサーからの検知信号を受け、第１センサーが固体の落下を検知した後、第２センサーがペーパーの取出しを検知し、しかる後、第１センサーが固体の落下を検知したとき、大便行為が行われたと判断する処理手段と、
該処理手段からの大便行為が行われたとの判断信号を受け、それをデータとして蓄積する記憶手段と
が備えられていることを特徴とする大便行為の有無管理システム。
【請求項２】
大便姿勢をとった者が管理対象者と非管理対象者のいずれであるかを特定する手段が備えられ、この手段で管理対象者と特定された場合に、記憶手段に、その管理対象者との関連において大便行為有りのデータが蓄積されるようになされている請求項１に記載の大便行為の有無管理システム。
【請求項３】
大便姿勢をとった者が複数の管理対象者のうちのいずれの管理対象者であるかを特定する手段が備えられ、この手段によって特定された管理対象者との関連において記憶手段に大便行為有りのデータが蓄積されるようになされている請求項１に記載の大便行為の有無管理システム。
【請求項４】
前記特定手段は、大便姿勢をとった者から受ける荷重を検知する荷重センサーを備え、該荷重センサーで検知された荷重値と、管理対象者について予め設定されている設定荷重値とを比較することで管理対象者を特定する形式のものからなっている請求項２又は３に記載の大便行為の有無管理システム。
【発明の詳細な説明】
【０００１】
【発明の属する技術分野】
本発明は、大便行為の有無管理システムに関する。
【０００２】
【従来の技術及び課題】
記憶能力に衰えを生じた者にとって、便秘は、健康に悪影響を及ぼすことになる一方で、自ら管理していくのが難しく、そのため、一般家庭や施設において、その者が便秘にならずに日々確実に大便をしているかどうかを、家族や施設職員が管理していく必要がある。
【０００３】
しかしながら、例えば、大便行為の有無の管理は、それを管理される者にとって羞恥心を抱きやすいものであり、管理がなかなか難しい。トイレに入ったか否か、あるいは、トイレで大便姿勢をとったか否かをチェックしていくだけでは、大便も小便もしていないことがありうるし、小便だけをして大便はしていないこともありうるから、管理方法としては正確性に欠ける。大便行為の有無管理だけのためにポータブルトイレを用いる方法では、管理される者の羞恥心を刺激してしまうことがあるし、管理する者にとっても手間が大きい。
【０００４】
本発明は、このような背景において、管理対象者に羞恥心を抱かせず、管理者の手間も軽くしながら、管理対象者の大便行為の有無を正確性高く管理把握していくことができ、しかも、それを簡易なシステム構成で実現することができる大便行為の有無管理システムを提供することを課題とする。
【０００５】
【課題を解決するための手段】
上記の課題は、大便器内へ液体が落下したことは検知せず固体が落下したことを検知する第１センサーと、
ペーパーホルダーからのペーパー取出しが行われたことを検知する第２センサーと、
これらセンサーからの検知信号を受け、第１センサーが固体の落下を検知した後、第２センサーがペーパーの取出しを検知し、しかる後、第１センサーが固体の落下を検知したとき、大便行為が行われたと判断する処理手段と、
該処理手段からの大便行為が行われたとの判断信号を受け、それをデータとして蓄積する記憶手段と
が備えられていることを特徴とする大便行為の有無管理システムによって解決される。
【０００６】
即ち、通常の大便行為は、トイレに入って大便姿勢をとり、小便と大便を終えた後、ペーパーホルダーから紙を取って拭き、それを大便器内に捨て、最後に水を流してトイレを出るというようにして行われる。
【０００７】
この通常の大便行為において、小便が出ても小便は液体であるから第１センサーはそれを検知しないが、大便が出ると大便は固体であるから第１センサーがそれを検知する。そして大便終了後に、ペーパーの取出しを行うと第２センサーがそれを検知し、拭いた紙を大便器内に捨てると紙は固体であるから第１センサーがそれを検知する。即ち、第１センサーが固体の落下を検知した後、第２センサーがペーパーの取出しを検知し、しかる後、第１センサーが固体の落下を検知した場合であり、本システムの処理手段は、それを大便行為が行われたと判断し、記憶手段がそれをデータとして蓄積する。
【０００８】
しかし、大便姿勢をとったが、小便のみが出て、大便は出ず、ペーパーホルダーから紙を取って拭き、それを大便器内に捨て、水を流し、トイレを出るということもあり得る。その場合は、第１センサーが固体の落下を検知した後、第２センサーがペーパーの取出しを検知し、しかる後、第１センサーが固体の落下を検知するという検知の流れが形成されないので、処理手段は、大便行為が行われたとは判断しない。
【０００９】
また、大便姿勢をとったが、小便も大便も出ず、ペーパーホルダーから紙を取って拭き、それを大便器内に捨て、水を流し、トイレを出るということもあり得る。その場合も、第１センサーが固体の落下を検知した後、第２センサーがペーパーの取出しを検知し、しかる後、第１センサーが固体の落下を検知するという検知の流れが形成されないので、処理手段は、大便行為が行われたとは判断しない。
【００１０】
このように、本システムでは、大便が出た場合と出なかった場合とを識別することができて、大便が出た場合にそれをデータとして記憶手段に蓄積するようになされているので、管理対象者の大便行為の有無を正確性高く管理把握していくことができる。
【００１１】
しかも、大便器内への固体落下の有無と、ペーパーホルダーからのペーパーの取出しの有無をセンサーで検知することで大便行為の有無を判断するものであるから、大便行為の有無の管理において、管理対象者が羞恥心を抱くこともないし、管理者の負担も軽くすることができると共に、簡素なシステム構成で大便行為の有無を管理していくことができる。
【００１２】
上記のシステムにおいて、大便姿勢をとった者が管理対象者と非管理対象者のいずれであるかを特定する手段が備えられ、この手段で管理対象者と特定された場合に、記憶手段に、その管理対象者との関連において大便行為有りのデータが蓄積されるようになされているのもよい。
【００１３】
このシステムでは、例えば一般家庭のように管理対象者とそうでない者が一緒に生活しているような場合に、管理対象者とそうでない者とが同じ大便器を使用しながら、管理対象者の大便行為の有無のみを管理していくことができる。
【００１４】
また、大便姿勢をとった者が複数の管理対象者のうちのいずれの管理対象者であるかを特定する手段が備えられ、この手段によって特定された管理対象者との関連において記憶手段に大便行為有りのデータが蓄積されるようになされているのもよい。
【００１５】
この場合は、例えば施設等において管理対象者が複数人いるような場合に、それらの管理対象者が同じ大便器を使用しながら、大便行為の有無をそれぞれの管理対象者ごとに個別管理していくことができる。
【００１６】
上記の特定手段は、大便姿勢をとった者から受ける荷重を検知する荷重センサーを備え、該荷重センサーで検知された荷重値と、管理対象者について予め設定されている設定荷重値とを比較することで管理対象者を特定する形式のものからなっているのもよい。
【００１７】
この場合は、管理対象者を簡素な検知手段で確実性高く特定していくことができ、しかも、大便姿勢をとるだけで特定されるから管理対象者や管理者の負担も少ない。
【００１８】
【発明の実施の形態】
次に、本発明の実施形態を図面に基づいて説明する。
【００１９】
第１実施形態は、例えば、施設等において、一人の管理対象者に一つの専用大便器が割り当てられている場合の管理システムの例であり、図１（イ）に示すトイレ室において、１は着座式の水洗式大便器、２はペーパーホルダーであり、大便器１内への固体の落下は検知するが液体の落下は検知しない第１センサー３と、ペーパーホルダー２からのペーパー５の取出しが行われたことを検知する第２センサー４とが備えられている。
【００２０】
第１センサー３は、例えば赤外線センサーなどによって構成され、大便器１の縁部などに設置される。第２センサー４は、ペーパーホルダーからのペーパーの取出し検知しうるものであればよく、例えば、ロールペーパーを引き出す時の、ペーパーホルダーから発する音や振動、あるいは、ペーパー芯の回転などを検知することで紙の取出しの検知を行いうるように備えられている。
【００２１】
上記の第１，第２の両センサー３，４は、通常の大便行為を行う上で、次のような検知作動を行う。即ち、通常の大便行為は、例えば、図３（イ）に示すように、トイレに入って大便器１に腰を下ろして大便姿勢をとった後、小便と大便が出てくる。そして大便を終えると、局部の洗浄を適宜行い、その後、ペーパーホルダー２から紙５を取り出す。そして、その紙で局部を拭きそれを便器１内に捨てるというものである。
【００２２】
この通常の大便行為において、第１センサー３は、液体である小便が出てもそれを検知することはないが、固体である大便が出るとそれを検知する。その後、第２センサー４がペーパーホルダー２からの紙５の取出しを検知し、しかる後、第１センサー３が、拭いて捨てた固体の紙を検知する。このように、通常の大便行為においては、第１センサー３が固体の落下を検知した後、第２センサー４がペーパー５の取出しを検知し、しかる後、第１センサー３が固体の落下を検知する。
【００２３】
ところが、図４（イ）に示すように、小便は出たが、大便は出なかった場合において、管理対象者が大便が出たと思って、あるいは、管理対象者が女子であることによってペーパー５の取出しを行い、拭いた紙を便器１に捨てた場合には、まず、第２センサー４がペーパーホルダー２からの紙５の取出しを検知し、そして、第１センサー３が、拭いて捨てた固体の紙を検知することになる。従って、この場合には、第１センサー３が固体の落下を検知した後、第２センサー４がペーパー５の取出しを検知し、しかる後、第１センサー３が固体の落下を検知するという検知作動が行われることはない。
【００２４】
また、図４（ロ）に示すように、小便も大便も出なかった場合において、管理対象者が大便が出たと思ってペーパー５の取出しを行い、拭いた紙を便器１に捨てた場合にも、まず、第２センサー４がペーパーホルダー２からの紙５の取出しを検知し、そして、第１センサー３が、拭いて捨てた固体の紙を検知することになる。従って、この場合には、第１センサー３が固体の落下を検知した後、第２センサー４がペーパー５の取出しを検知し、しかる後、第１センサー３が固体の落下を検知するという検知作動が行われることはない。
【００２５】
上記のような行為が行われうるなかで、第１，第２の両センサー３，４からの検知信号を受け、検知信号に基づいて、いずれの行為が大便の行われた行為であるのかを判断するのが、図１（ロ）に示す処理手段７である。処理手段７はマイクロコンピューターなどを用いて構成され、この処理手段では、図２に示すように、スタートから、第１センサー３が便器１内への固体の落下を検知したか否かが判断され（ステップＳ１）、した場合には、その後に第２センサー４が紙５の取出しを検知したかどうかが判断され（ステップＳ２）、した場合には、その後に第１センサー３が便器１内への固体の落下を検知したか否かが判断され（ステップＳ３）、した場合には大便行為有りと判断し、その判断信号が図１（ロ）に示す記憶手段８に出力され（ステップＳ４）、判断を終了する（ステップＳ５）。
【００２６】
なお、スタートから、ステップＳ１やステップＳ３で第１センサー３が固体の落下を検知しなかったり、ステップＳ２で第２センサー４が紙５の取出しを検知しなかった場合は、大便行為有りとは判断されず、処理を終了する（ステップＳ６，Ｓ７，Ｓ８）。
【００２７】
記憶手段８では、例えば、図３（ロ）に示すように、管理対象者の行った大便行為の日付と時刻などがデータとして蓄積されていく。記憶手段８は、コンピューターのハードディスクであってもよいし、フレキシブルディスクや光磁気ディスクなどであってもよいし、制限はない。なお、モニターやプリンターなどのデータ表示手段は、システムに備えられていても備えられていなくてもよい。備えられていなくても、光磁気ディスクなどに保管されていればどこでもその中身を見ることができる。
【００２８】
このように、上記のシステムによれば、大便が出た場合と出なかった場合とをセンサー３，４と処理手段７とで識別するようになされているので、管理対象者の大便行為の有無を正確性高く管理把握していくことができる。しかも、便器１内への固体落下の有無と、ペーパーホルダー２からの紙５の取出しの有無をセンサー３，４で検知することにより大便行為の有無を判断するものであるから、大便行為の有無の管理において、管理対象者が羞恥心を抱くこともないし、管理者の負担も軽くすることができると共に、簡素な検知システムで大便行為の有無を管理していくことができる。
【００２９】
第２実施形態は、例えば、一般家庭において、管理対象者が一人いてそのほかにも家族がおり、それらの者が同じ大便器を使用しながら管理対象者のみの大便行為の有無管理を行うことのできる管理システムであり、図５（イ）に示すように、第１，第２センサー３，４のほか、大便器１の便座１ａに荷重センサー６が備えられると共に、図５（ロ）に示すように、処理手段７には、大便行為有無判断処理手段７ａのほか、管理対象者特定処理手段７ｂが備えられ、管理対象者特定処理手段７ｂには、図７（イ）に示すように、管理対象者が便座１ａに座って大便姿勢をとることで荷重センサー６に検知される荷重値が、設定荷重値として予め登録されている。なお、荷重センサー６と特定処理手段７ｂが管理対象者特定手段９を構成している。
【００３０】
管理対象者特定処理手段７ｂは、大便行為有無判断手段７ａと同様に、マイクロコンピューターなどによって構成されており、この特定処理手段７ｂでは、図６に示すように、トイレに入って便座に座り大便姿勢をとり荷重センサー６が受けた荷重を検知しその荷重値が読み込まれると（ステップＳ９）、その荷重値と設定荷重値とを比較し（ステップＳ１０）、その荷重値が設定された管理対象者の荷重値に該当する場合には管理対象者であると特定し（ステップＳ１１）、ステップＳ１からステップＳ８の大便行為有無の判断処理が行われ、その荷重値が設定荷重値に該当しない場合には大便行為有無の判断処理を行うことなく処理を終了する（ステップＳ１２）。
【００３１】
このように、本実施形態の管理システムでは、管理対象者とそうでない者が一緒に生活しているような場合に、管理対象者とそうでない者とが同じ大便器を使用しながら、管理対象者の大便行為の有無のみを管理していくことができる。しかも、管理対象者を荷重センサーという簡素な検知手段で確実性高く特定していくことができ、また、大便姿勢をとるだけで特定することができるから大便姿勢をとる者等の負担も少ない。
【００３２】
第３実施形態は、例えば、施設等において、管理対象者が複数人おり、それらの者が同じ大便器を使用しながら、各管理対象者の大便行為の有無を個別に管理していくことのできる管理システムであり、第２実施形態の図５（ロ）に示す管理対象者特定処理手段７ｂに、図７（ロ）に示すように、各管理対象者Ａ，Ｂ，Ｃ…が便座１ａに座って大便姿勢をとることで荷重センサー６に検知される荷重値が、管理対象者Ａ，Ｂ，Ｃ…ごとに設定荷重値として予め登録されている。
【００３３】
そして、管理において、複数の管理対象者のうちの一人が便器１に座り大便姿勢をとり、図６に示すように、特定処理手段７ｂに荷重値が読み込まれると（ステップＳ９）、その荷重値がいずれの管理対象者の荷重値に該当するのかが判断され（ステップＳ１０）、どの管理対象者であるのかが特定されて（ステップＳ１１）、ステップＳ１からステップＳ８の大便行為有無の判断処理が行われ、大便行為有りの場合には、特定されたその管理対象者との関連においてその荷重値が記憶手段８に出力される（ステップＳ４）。設定荷重値に該当しない場合はないので、大便行為有無の判断処理を行うことなく処理を終了するステップＳ１２は、本実施形態では機能しないかあるいは省略される。記憶手段８では、図８に示すように、管理対象者Ａ，Ｂ，Ｃ…ごとに大便行為の日付と時刻などがデータとして蓄積されていく。
【００３４】
このように、本実施形態の管理システムでは、管理対象者が複数人いるような場合であっても、それらの管理対象者が同じ大便器を使用しながら、大便行為の有無をそれぞれの管理対象者ごとに個別管理していくことができる。
【００３５】
以上に、本発明の実施形態を示したが、本発明はこれに限られるものではなく、発明思想を逸脱しない範囲で、各種の変更が可能である。例えば、上記の第３実施形態のシステムにおいて、ステップＳ１０で測定した荷重値がいずれの設定荷重値にも該当しないような場合において大便行為有無の判断を終了する（ステップＳ１２）というステップを行うことによって、複数人の管理対象者と管理対象者以外の者とが同じ大便器を使用しながら各管理対象者の大便行為の有無を個別に管理していくようにしてもよい。また、上記の実施形態では、管理対象者の特定のために荷重センサーを用いた場合を示しているが、管理対象者特定の判断要素となりうるものを検知の対象とすればよく、種々の特定判断要素が特定のための検知の対象として採用されてよい。
【００３６】
【発明の効果】
本発明は、以上のとおりのものであるから、管理対象者に羞恥心を抱かせず、管理者の手間も軽くしながら、管理対象者の大便行為の有無を正確性高く管理把握していくことができ、しかも、それを簡易なシステム構成で実現することができる。
【図面の簡単な説明】
【図１】第１実施形態のシステムを示すもので、図（イ）はトイレ室の側面図、図（ロ）はシステムの構成図である。
【図２】処理手段における処理のフロー図である。
【図３】図（イ）はトイレの使用方法と第１，第２センサーによる検知との対応関係を示す説明図、図（ロ）は記憶手段におけるデータの記憶形式の一例を示す説明図である。
【図４】図（イ）はトイレの他の使用方法と第１，第２センサーによる検知との対応関係を示す説明図、図（ロ）はトイレの更に他の使用方法と第１，第２センサーによる検知との対応関係を示す説明図である。
【図５】第２及び第３実施形態のシステムを示すもので、図（イ）はトイレ室の側面図、図（ロ）はシステムの構成図である。
【図６】処理手段における処理のフロー図である。
【図７】図（イ）は第２実施形態のシステムにおける管理対象者の設定荷重値の登録形式の一例を示す説明図、図（ロ）は第３実施形態のシステムにおける管理対象者の設定荷重値の登録形式の一例を示す説明図である。
【図８】第３実施形態の記憶手段におけるデータの記憶形式の一例を示す説明図である。
【符号の説明】
１…大便器
２…ペーパーホルダー
３…第１センサー
４…第２センサー
５…紙
６…荷重センサー
７…処理手段
７ａ…大便行為有無判断手段
７ｂ…管理対象者特定処理手段
８…記憶手段
９…管理対象者特定手段
【図１】
2004033320.tif 000003
【図２】
2004033320.tif 000004
【図３】
2004033320.tif 000005
【図４】
2004033320.tif 000006
【図５】
2004033320.tif 000007
【図６】
2004033320.tif 000008
【図７】
2004033320.tif 000009
【図８】
2004033320.tif 000010